Podtech/llm-jp-corpus-v4-ja_patent huggingface dataset:
(57)【要約】 【課題】  怪我や病気によって片手が不自由な人にあっても、簡単に、片手で袋の開封作業が行えるオープナーを提供することを目的とする。【解決手段】  把持または固定可能な矩形状の本体に切欠した溝部を有し、前記溝部の幅方向の中心を頂点として溝部の開放方向側に傾斜した切刃を設け、前記溝部に封入された袋の端部から通すことにより袋を開封する構成とした。【選択図】      図１
2008062941.tif 000002
【特許請求の範囲】
【請求項１】
把持または固定可能な矩形状の本体に切欠した溝部を有し、
前記溝部の幅方向の中心を頂点として溝部の開放方向側に傾斜した切刃を設け、
前記溝部に封入された袋の端部から通すことにより袋を開封する
ことを特徴とするオープナー。
【請求項２】
袋の通し方向に、開封した袋を挟持保持するクリップが設けられた請求項１に記載のオープナー。
【発明の詳細な説明】
【技術分野】
【０００１】
本発明は、包装を開封するオープナーに関し、特に、片手の不自由な人にあっても簡単に薬剤が封入された包装を開封する包装用のオープナーに関する。
【背景技術】
【０００２】
薬剤には、錠剤、カプセル剤、さらには粉薬等があって、これらを包装（以下「薬袋」という）に封入して患者に手渡される。そして、この薬袋の開封に当っては、片手で薬袋を持ち、もう一方の片手で薬袋を破り、薬剤を取り出すといった開封作業方法が通常一般的に行われている方法である。即ち、両手を使って作業をしなければならないものであった。また、他の開封方法としては、挟み等による開封作業も考えられるが、両手の使用といった同様な問題を有していた。
【０００３】
ところで、一般的な袋を開封するオープナーなとしては、例えば実開昭５３−１２９６７５、実用新案登録第３０７７５１４号に開示されている。
【特許文献１】実開昭５３−１２９６７５
【特許文献２】実用新案登録第３０７７５１４号
【発明の開示】
【発明が解決しようとする課題】
【０００４】
上記したようなオープナーも、また健常者の使用を前提としたものであって、袋の開封作業に、当然の如く両手を使用して行われるものである。このため、怪我や病気によって、片手が不自由な患者にとっては、これらオープナーにあっても極めて使用困難であるばかりか、薬剤を撒き散らすという問題があった。
【０００５】
本発明は、以上の点に鑑み、怪我や病気によって片手が不自由な人にあっても、簡単に、片手で袋の開封作業が行えるオープナーを提供することを目的とする。
【課題を解決するための手段】
【０００６】
上記した目的を達成するために、本発明の請求項１は、把持または固定可能な矩形状の本体に切欠した溝部を有し、前記溝部の幅方向の中心を頂点として溝部の開放方向側に傾斜した切刃を設け、前記溝部に封入された袋の端部から通すことにより袋を開封する構成とした。
【０００７】
本発明の請求項２は、袋の通し方向に、開封した袋を挟持保持するクリップが設けられている。
【発明の効果】
【０００８】
本発明のオープナーによれば、片手の不自由な方にあっても、簡単に袋の開封作業が行え、袋の中身を取り出せることができる。
【０００９】
しかも、一連の開封作業において、袋の挟持保持も行えるため、中身を撒き散らす等の防止も図られる。
【発明を実施するための最良の形態】
【００１０】
以下、本発明の一実施例について図面を参照しながら説明する。図１は、本発明によるオープナーを底面から見た斜視図、図２の（ａ）は同平面図、（ｂ）は同底面図、図３の（ａ）は同正面図、（ｂ）は同側面図を示している。
【００１１】
図２に示すように、本発明のオープナー１は、把持または後述する固定可能な矩形状であって、本体２の中央には、使用者の指が入り込まず、程度薬袋Ａが通過できる程度の幅から成る溝部３が、約半分程度を残して、本体２を貫設（切欠いて）して、形成されている。
【００１２】
前記溝部３の端部には、溝部３の幅方向の中心を頂点として、Ｖ字状の切刃４が交換可能にネジ止め固定されている。また、前記溝部３の延長線上には、弾性力が付与されて、互いにその下端面で接す挟持片５ａから成るクリップ５が設けられており、開封した薬袋Ａを挟持保持する。さらに、本体１の上面２ａには、磁石７を埋設したアーチ状の固定部６が設けられている。
【００１３】
次に、上記実施例の形態のオープナーの使用について説明する。
【００１４】
先ず、アーチ体６に埋設した磁石７を金属体等に取付け固定し、この状態にあって、溝部３に薬袋Ａの端部から通過させる。すると、この通過時に、薬袋ＡがＶ字状の切刃４の頂点に当接、押圧されると、薬袋Ａが開封される。従って、本発明のオープナー１によれば、片手の不自由な方にあっても、簡単に袋の開封作業が行え、袋の中身を取り出せることができる。
【００１５】
さらに、本発明のオープナー１には、前記溝部３の延長線上にクリップ５が設けられているため、前記薬袋Ａの開封作業を押し進めると、クリップ５の挟持片５ａに薬袋Ａが挟持保持される。従って開封口は、クリップ５によって閉じられている状態であるため、薬剤を落とすことも、撒き散らすこともない。
【００１６】
尚、前記した薬袋Ａを開封する切刃４はステンレス鋼が好ましく、クリップ５は、可撓性を有するものであれば何ら特定するものではない。
【００１７】
また、本発明のオープナー１は、固定して使用するように説明したが、逆に、薬袋Ａを固定保持して、オープナー１を動かすことによって薬袋Ａを開封しても良い。この場合、オープナー１は、片手で把持できる大きさであることはいうまでもない。
【図面の簡単な説明】
【００１８】
【図１】本発明の一実施例の形態を示すオープナーを底面から見た斜視図である。
【図２】本発明のオープナーを示す（ａ）は平面図、（ｂ）は底面図である。
【図３】本発明のオープナーを示す（ａ）は正面図、（ｂ）は側面図である。
【符号の説明】
【００１９】
Ａ  薬袋
１  オープナー
２  本体
３  溝部
４  切刃
５  クリップ
６  固定部
７  磁石
【図１】
2008062941.tif 000003
【図２】
2008062941.tif 000004
【図３】
2008062941.tif 000005
(57)【要約】【課題】  容器に入った、めん類、納豆を食するとき、袋に入っているつゆを手で切口を開けるときつゆが手についたり、とびちることが課題であった。【解決手段】  容器のふた部内側につゆの入った袋を切り口からつゆの入った部分を固着し、切り口のつゆの入っていない部分のはしに細いひも状のものを取付、つゆを開口するとき、ふたをしたままひも状のものを引くだけで、つゆをかけることが出来る、このような構成で成る容器によって解決するものである。【選択図】図２
2008062998.tif 000002
【特許請求の範囲】
【請求項１】
つゆの入った袋を簡単に開閉できる容器。
【発明の詳細な説明】
【技術分野】
【０００１】  従来、納豆、めん類を食べるために入っている、つゆ入りの袋を開閉するには容器から取出し手によって切口を切ってつゆを出していた容器に関するものである。
【背景技術】
【０００２】  容器に入った、納豆、めん類のつゆの入った袋を開閉するには手にもって切口を切って開閉していた。
【発明の開示】
【発明が解決しようとする課題】
【０００３】  つゆの袋を切って開けるにはつゆが手について不便であった。
【課題を解決するための手段】
【０００４】  本発明は、容器のふた内側部にスペースを設け、つゆの入った袋を切り口部よりつゆの入った側をふたの内側に固着し、切り口のはしに細いひも状のものを取付けてふたの外側にシールでとめておく、納豆の場合はふたを開けて、かきまぜてからふたをして、細いひも状のものを引いて切口を開ける。以上の構成で成る袋に手をふれることなく開閉できる容器を提供する。
【発明の効果】
【０００５】  容器のふたに設けたつゆの袋をひも状のものを引くだけでつゆの入った袋を開けることができ、手をよごすことなく容易に開閉できるものである。
【発明を実施するための最良の形態】
【０００６】  容器のふた内側部につゆの入った袋を切り口よりつゆの入った袋のはしをふたの内側に固着し袋の切口のつゆの入っていない袋のはしに細いひも状のものを取付けてふたに外側にシールでとめておく、つゆを開閉するときひも状のものを引いてつゆの入った袋を開ける。
【実施例】
【０００７】  容器のふた（２）につゆの入った袋（３）をふたの内側に固着する、袋にひも状（４）を取付けてふたの外側にひもを出してふたの外側にシールでとめておく、納豆を食べるときは、ふたを開けてかきまぜてふたを閉じてひも状のものを引いてつゆをだす、以上の構成で成るものである。
【図面の簡単な説明】
【０００８】
【図１】  容器全体の斜視図
【図２】  容器ふた裏部につゆ入りの袋のついた斜視図
【符号の説明】
【０００９】  １  容器本体
２  容器のふた
３  細いひも状のもの
４  つゆの入った袋
５  シール
６  切り取り口
【図１】
2008062998.tif 000003
【図２】
2008062998.tif 000004
(57)【要約】【課題】  温暖化の影響により、水分補給の認識が高まり、ペットボトルは嗜好品から保健用品になりつつある。使用面でも、「ラッパ飲み」から普通に飲める使いやすさと衛生的な、万人向きのユニバ−サルデザイン化が希求される。【解決手段】  ビ−ル瓶と同じ口径のペットボトルの流出口径を、有穴中栓で縮小し、飲料の流出量を調節のうえ、ラッパ飲みでなく、自然な動作で使用し易い衛生的なものとする。【選択図】図１
2008062996.tif 000002
【特許請求の範囲】
【請求項１】
有穴中栓を流出口に装着したペットボトル。
【請求項２】
キャップの内壁上部にパッキングする有穴中栓を流出口に装着したペットボトル。
【発明の詳細な説明】
【技術分野】
【０００１】  有穴中栓の装着により、液体の流出量を調節するペットボトルに関する。
【背景技術】
【０００２】  平成１８年８月２６日付の日本経済新聞夕刊に、次のような記事が掲載されている。
全国清涼飲料工業会が、ペットボトルの使用方法の調査したところ「３〜４割の人が飲みかけのペットボトルを一日以上放置したことがある」直接口をつけたペットボトルは放置すると雑菌が繁殖するので、早く飲み切るよう推奨している。【０００３】  最近の気候温暖化傾向により、日常における水分補給の認識が高まりつつあり、ペットボトル飲料は、単なる嗜好品から保健用品になりつつある。
現在市販されているペットボトルは、一部の輸入品を除き、その流出口径は約２０ミリに成形されている。この飲料を飲む場合は、所謂「ラッパ飲み」で行われるのが普通である。これは、口径が２０ミリと大きいため、ペットボトルの傾斜加減によっては、一度に大量の飲料が口腔へ入ってしまう危険があるため、唇にペットボトルの流出口を全面的に押し当てて、適量になるようにボトルの傾斜角度と唇を窄めながら調整することとなる。
この動作は、成人や若者にとっては無意識のうちに行われるが、高齢者やハンデのある人々にとっては難しい場合がある。ペットボトルは消費者の認識もさることながら、提供者側として万人向きにより使い易く、安全で、衛生的なものに改良していく必要がある。
【発明の開示】
【発明が解決しようとする課題】
【０００４】  ペットボトルは、容量２リットル程の大型のものと主に携帯して使う小型のものに大別されるが、その流出口径はいずれも約２０ミリである。
また、旧来からある飲料用容器の日本酒の一升瓶、一合瓶、ビ−ル瓶、ジュ−ス瓶等々各種の瓶が使用されてきた。これらの容器の流出口径も約２０ミリでペットボトルのそれと略同じである。これらの瓶の使い方は、内容の飲料を一旦コップ等の別容器へ移して使用されるのが普通である。この２０ミリの流出口径は、別の器へ内容の液体をスム−スに流出させるのに適したものと解釈することができる。したがって、同じ大きさの口径で作られているペットボトルは、一度に流出される液体量が多いため、ボトルの傾斜角度による調節するよりも、安全のため流出口を直接唇に押し当てて飲むことになる。【０００５】  また、ボトルは開封後一時に飲み切ることは稀で、携帯しながらその都度使用することが多い、そこで、ラッパ飲み形式で使用した場合、季節によっては飲み残しを長時間保存して飲み継ぐことは衛生上注意が必要となる。これは前述新聞記事の通りである。
本発明は、以上のごとくペットボトルの使用に際して、より使い易く安全性と衛生的効果をあげるために、その流出口を改善して解決するものである。
【課題を解決するための手段】
【０００６】  ペットボトルと類似する飲料容器と比較考察するに、牛乳瓶の流出口径はペットボトルのそれより広く、また、缶ビ−ル、缶ジュ−ス等の流出口径はペットボトルより狭い。
しかし、いずれも使用する場合は、当該容器を傾斜させ下唇にのせて口腔へ流し込む方式、即ち通常のカップを使って飲むような一般的な飲み方で統一されている。
牛乳瓶の場合は、流出口径が広いため唇を開いてコップに近い形で流し込みとなる。
缶ビ−ルの場合は、流出口径が縦横ともペットボトルの口径より約２分の１以下と狭くしかも、流出される飲料の流れが量的に少ないため口腔に流し込むことが可能となる。
飲料を飲む場合はコップまたはカップ等を使用するのが普通で、これが最も安全かつ楽に行われる動作である。ペットボトルの２０ミリの口径は唇に当てたとき、人体の口を丸めた形状と略同じ大きさとなるため、下唇に当てて流し飲みすると、ボトルの流出口全体を口に含む状態となる。  口の大きさには個人差があるが、ボトルの残量によっては口外に洩れる恐れもある。念の為、一般家庭用の水道の蛇口の口径は１５ミリである。
本発明は、ペットボトルの流出口径を狭窄にして、内容液の流出量を減少し安定化させるものである。【０００７】  その手段は、ペットボトルのキャップの下に中栓をする。中栓は図１のような切り込みをし、その流出口２は、現在のペットボトルの約３分の１に縮小する。
この中栓は、ペットボトルの流出口先端に貼付する方式と、ペットボトルの流出口に差し込み、同中栓の上面周囲を凸起させ、ペットボトルのキャップ内壁上部にパッキングする方式とする。
【発明の効果】
【０００８】  図１の中栓を装着することにより、ペットボトルから流出される飲料の量は、ペットボトルの収容液の残量やボトルの傾斜角度に影響されず、略安定したものとなる。
ペットボトルの流出口に下唇を添えるだけで、飲料を口腔へ流し込むことができるので顔を仰向けることもなく、唇を自然な状態にして、カップの使用と同様な動作となり、衛生的である。乗り物の中、徒歩中での利用にも支障なく、高齢者やハンデのある人々にも扱い易いユニバ−サルデザインの飲料容器となる。
【発明を実施するための最良の形態】
【０００９】  本発明の実施形態は、次の通りである。
図１は、ペットボトルに有穴中栓を装着した上視図で、流出口の広さは中栓の約３分の１である。有穴中栓はシ−ト状の材質で作られ、ペットボトルのトップに貼付する。中栓には、あらかじめ流出口の外周に添って切り取り線を施す。流出口は当初密封してあり、使用する際に利用者が開封する。【００１０】  図３は、ペットボトルと同質系の軟質材料で形成した有穴中栓で、その外周縁を凸起状とし、パッキン機能を持たせる。ペットボトルのキャップ内壁上部とパッキングする組み合わせとなり、同キャップ内の漏出防止ガ−ドを代替する。この中栓の下部には、ペットボトルの流出口への差し込み部を有し、同口へ装着する。当中栓の流出口も予め密封し、利用者が開封する前述と同様な様式に工作することも可能である。
【図面の簡単な説明】
【００１１】
【図１】ペットボトルに有穴中栓を装着した上視図である。
【図２】同じく装着した状態の断面図である。一部省略。
【図３】差し込み式中栓の斜視図である。
【図４】差し込み式中栓を装着した状態の正面図である。一部省略。
【符号の説明】
【００１２】  １  有穴中栓
２  流出口
３  ペットボトル本体
４  差し込み式有穴中栓
【図１】
2008062996.tif 000003
【図２】
2008062996.tif 000004
【図３】
2008062996.tif 000005
【図４】
2008062996.tif 000006
(57)【要約】      （修正有）【課題】  ヒートアイランド対策といえば、屋上に土を置き、植  物を植えることであったが、コストもかかり、暴災対  策上も問題がある。そこで安全性が高く、効率よくビルの温度を下げる効果のあるヒートアイランド対策を提供する。【解決手段】高さ１ｍ以上の水の袋を置くことによってビル屋上の温度を下げる。ビニールシートや、ポリエチレンでつくられた袋のため、どんな型にも対応できる。ビルの屋上の温度を下げるために植物を植えるという手法では得られないいろんな形に対応できるウオーターバッグとして、どんな型や広さの屋上にも、対応できる。また、昼間暖まったお湯で、暖かいシャワーもあびれるし、木陰においておけば、給水タンク代わり、ソファーやベッドの代わりにもなる。水を抜けば、持ち運びするにも便利である。【選択図】図２
2008062997.tif 000002
【特許請求の範囲】
【請求項１】
素材はビニールシート諾しくはポリエステルとする厚さは耐久性を考え２ｍｍ以上とする
【請求項２】
高さ１ｍ前後の立方体、角柱、円柱型そのすべてを特許の範囲とする
【請求項３】
必ず、給水口、排水口をつけ、ネジ止めのキャップをつけ、パッキンをつけるものとする
【請求項４】
大きさは全ての屋上に対応できる様、オーダーメイドとする
【請求項５】
利用目的はヒートアイランド対策だけでなく、水を抜けば持ち運びに便利なので、例えば、第三世界の給水用、給湯用としても利用し、多目的ウォーターバッグとする。
【発明の詳細な説明】
【技術分野】
【０００１】  本発明は、ヒートアイランド対策として、従来別の用途として用いられているＢＯＸＩＮＧ用ウォーターバッグに改良を加え、ビル、しいては、都市の温度を少しでも下げるために考えたものである。
【背景技術】
【０００２】  ヒートアイランド現像の対策として、都内のビルの屋上にガーデニングをすることが、１０年以上前から話題になっていますが、根の浅い植物しか植えられない。多くの土を屋上におき、木を植えれば、台風や暴風雨の時、吹きとばされて、地面に落ちるかも知れません。以上の事を考え、安全性が高く、効率よくビルの温度を下げる効果のあるものをと考えました。
【発明の開示】
【発明が解決しようとする課題】
【０００３】  ビルの屋上に植物を植えることで、ビルの温度を下げ、そして、都市全体の温度を下げることが目的でしたが、土を少なくして、芝生などを植えれば、枯れる可能性もあるし、土を多くして、木でも植えられる様にしても、暴風雨で木ごと飛んで行って、誰かケガしないかと気になる。大きな木を植えようと思えば、コストもかかる。
【課題を解決するための手段】
【０００４】  植物を植えて温度を下げるという考え方を根本的に変え、ヒートアイランド現象をおさえるために必要な水をおくことに重点をおいた。それには、ボクシングの練習に用いるウォーターバッグを安定の良い立方体にしたものを置き、定期的に水を変えてやるのが一番良い方法だ。
【発明を実施するための最良の形態】
【０００５】  縦１ｍ、横２ｍ高さ１ｍの立方体にし、上側の方と横側に給水口と排水口をつける。素材は、ビニールシート（丈夫なもの）又はポリエステル等をつかう。
大きさは自由自在たが、縦２ｍ、横２ｍ、高さ１ｍとか、形も、立方体円筒型、ペンタゴン型、ヘキサゴン型など色々できる。高さはいずれも１ｍ以上あった方がよさそうである。
【発明の効果】
土をおき植物を植えるより、圧倒的低コストである。底の面もＦＲＰなどの板を敷くのではなく、同じ、柔らかい、ビニールシートや、ポリエチレンにするので、水の温度がビルに伝わりやすい、水のタンクをおくようなものなので、台風や暴風雨にも飛びにくい。
【図面の簡単な説明】
【図１】縦１、横２ｍ、高さ１ｍの立方体全面同じ素材
【図２】直径２ｍのサークルに、高さ１ｍの円筒型全面同じ素材
【図３】１辺１ｍのペンタゴン型、高さ１ｍの角柱型、全面同じ素材。
【図１】
2008062997.tif 000003
【図２】
2008062997.tif 000004
【図３】
2008062997.tif 000005
(57)【要約】【課題】紙及び樹脂あるいは生分解性樹脂成型カップに内容物を入れて持ち帰る場合、使用時に容易かつ安全に内容物を安定保持でき、蓋に内容物が触れて飲む際に口元が熱くない安価なカップ用蓋を提供することを課題とする。【解決手段】カップ蓋本体Ａは紙または樹脂あるいは生分解性樹脂で成型され、紙または樹脂あるいは生分解性樹脂成型品カップの内外両面で嵌合しており、その天面は開口部Ｂと凸部Ｃ及び凹部Ｄで形成されている。開口部Ｂは一部切込みが入れてあり容易に開けることが可能であるが、これを起こしたままでは飲み辛く、これを解消するのに図１の側面図で判る様に開口部Ｂを開け内容物を飲む時に凸部Ｃと凹部Ｄは位置と大きさを合わせてあるので、開口部Ｂを固定して内容物を飲む事が出来る。これは容易で安全に内容物を安定保持でき、しかも安価なカップ用蓋。【選択図】  図１
2008062952.tif 000002
【特許請求の範囲】
【請求項１】
紙または樹脂あるいは生分解性樹脂で形成された飲料用カップに、紙または樹脂あるいは生分解性樹脂で形成され嵌合して閉塞する蓋であって、飲み口が内容物の熱で熱くなり飲めないのを防ぐ為、蓋天面が飲料用カップの飲み口より下部にあり、また内容物が飲み口より漏れた場合でも飲料用カップ内に戻る様、蓋に傾斜をつけた事を特徴とする。
【発明の詳細な説明】
【技術分野】
【０００１】
この発明は、コーヒー等の飲料に用いる紙カップや樹脂成型カップなどの蓋に関する。
【背景技術】
【０００２】
従来の飲料用紙カップや樹脂成型カップ等に内容物が入った物は、店内または持帰りの際はカップに成型蓋をかぶせて使用しており、その殆どはカップの飲み口よりも蓋を高くした物である。
【特許文献１】特開平１０−７１４２号公報
【特許文献２】特許第３０３２５８０号
【特許文献３】特開２０００−２８７８０８
【特許文献４】意匠登録第１２６２１５６号
【発明の開示】
【発明が解決しようとする課題】
【０００３】
しかしながら、現在使用されている使い捨ての蓋で内容物が熱い物を飲む場合、飲み口穴から飲もうとしても蓋に触れた際唇が熱く飲み辛かった。また切込みを入れて開ける様になっている蓋も、その製造上の理由から飲み口の幅を広くする必要があり、口元が蓋に触れた際同様に熱くて飲みにくかった。そこでこの問題を解決する為、従来の蓋が飲料用カップの上に乗せ凸状態になっているのに対して、カップの内部に落し込む様な凹形状にしその飲み口が熱くない物を提供する事を課題とした。
【課題を解決するための手段】
【０００４】
以上の課題を解決するために、この発明は、カップの飲み口より蓋の天面を下部にして飲み口が直接内容物で熱くなり飲みにくいのを防ぎ、内外両側でカップのカール部分を挟込む事で内容物の漏れを防ぎ、飲み口は一部切込みを入れて開ける仕組みの為、使用前はほとんど漏れる事が無く、飲み口を開けた後は飲み口側を低く他方を高く傾斜を付けている為、内容物が溢れてもカップ内に戻るのを特徴とする飲料用カップ蓋である。
【発明の効果】
【０００５】
この発明によれば、紙または樹脂あるいは生分解性樹脂カップにこの蓋を付ける事で口元の熱さを気にする事無く安心して飲め、内容物の漏れも無く、飲み口を塞ぐ為のシールや部品も必要ない。
【発明を実施するための最良の形態】
【０００６】
この発明の一実施形態を、図１に示す。
蓋の本体Ａは紙または樹脂あるいは生分解性樹脂成型品であり、紙もしくは樹脂あるいは生分解性樹脂成型品のカップＥに嵌合しており、この本体Ａの天面には一部切込みを入れた開口部Ｂと凸部Ｃ及び凹部Ｄが設けられている。
【０００７】
「実施形態の効果」
この実施形態によれば、本体蓋Ａは紙または樹脂あるいは生分解性樹脂成型カップＥに内外両面で嵌合しており内容物を飲む際は開口部Ｂを起こす事により可能となるが、飲み口は開口部Ｂの傾斜が低い方のカップＥからとなり、その際開口部Ｂを起こしたままでは飲み辛く、これを解消するのに図１の側面図で判る様に開口部Ｂを開け内容物を飲む時に凸部Ｃと凹部Ｄは位置と大きさを合わせてあるので、開口部Ｂを固定して内容物を飲む事が可能である。
【０００８】
「他の実施形態」
図１の実施形態では、飲み口部Ｂの開閉が可能であるが、他の実施形態では本体Ａへの切り込み形状やサイズを変える事で飲み口開口部Ｂを内容物に合わせる事が可能である。
【図面の簡単な説明】
【０００９】
【図１】この発明の一実施形態を示す斜視図と側面図である。
【符号の説明】
【００１０】
Ａ  本体
Ｂ  開口部
Ｃ  凸部
Ｄ  凹部
Ｅ  紙または成型カップ（仮想品）
【図１】
2008062952.tif 000003
(57)【要約】【課題】  従来の吸盤を使った自動車内用日除けでは，熱い陽射しや経過時間などによる吸盤の劣化などよって吸盤の吸着力が低下することで日除けが自然に外れてしまったり，ウインドーガラスに直接吸盤を貼り付けるためウインドーガラスが汚れたりサイドウインドーを開けることが困難であったり，外側から見たときに車のデザイン性をかなり損なったりするなど，大変不便である。【解決手段】  面ファスナーを使ってウインドーガラス周りの車の内壁に日除けを接着する。【選択図】図１
2008062910.tif 000002
【特許請求の範囲】
【請求項１】
自動車のウインドーガラスから入る陽射しを和らげるために使用する自動車内用日除けにおいて，ウインドーガラス周りの内壁に装着するための面ファスナーを有することを特徴とする日除け。
【発明の詳細な説明】
【技術分野】
【０００１】  本発明は、自動車のウインドーから入る陽射しを和らげるために使用する自動車内用日除けに関するものである。
【背景技術】
【０００２】  従来の自動車内用日除けには，内側から吸盤によってウインドーガラスに直接装着したものがある。
【発明の開示】
【発明が解決しようとする課題】
【０００３】  上記に述べたような従来の自動車内用日除けでは，熱い陽射しや経過時間などによる吸盤の劣化などよって吸盤の吸着力が低下することで日除けが自然に外れてしまったり，ウインドーガラスに直接吸盤を貼り付けるためウインドーガラスが汚れたりサイドウインドーを開けることが困難であったり，外側から見たときに車のデザイン性をかなり損なったりするなど，大変不便である。
【課題を解決するための手段】
【０００４】  日除けをウインドーガラス周りの内壁に面ファスナーを使って接着する。
【発明の効果】
【０００５】  面ファスナーを使用することで吸盤よりも強力な接着力が得られ，一度接着してしまえば自然に外れることがほとんどないため，装着した後に外す必要のあまりないリアウインドーなどへの装着には大変便利である。【０００６】  またサイドウインドーに装着した場合は，ウインドーガラスではなく内壁に接着するため，日除けを装着したまま，換気のためなどにサイドウインドーの開閉を自由に行うことが出来る。【０００７】  さらに，車外から見た場合，日除けの接着部分が見えないためすっきりした印象を受け，見栄えが大変良い。【０００８】  その上，ウインドーガラス周辺の内装が布地である車種については，本発明の日除け本体についている面ファスナーと対になる面ファスナーを車内に貼る必要がなく，内装の布地にそのまま面ファスナーを用いて接着すればよく，装着が大変楽である。
【発明を実施するための最良の形態】
【０００９】  装着方法に面ファスナーを利用した自動車内用日除け。【００１０】  本発明を具体化した一実施形態について，図１〜３を参照して説明する。【００１１】  図１に示すように，本発明の自動車内用日除けは，外周に面ファスナーａのついた日除けｂと，自動車の内壁に接着する面ファスナーａ２の形態を有する。【００１２】  上記実施形態は下記のように変更することもできる。【００１３】  図２に示すように，面ファスナーｃ，ｄ，ｅを日除けｆの外周全部ではなく，部分的に使用してもよいし，ｃのように日除けの外側に取り付けてもよいし，ｄ，ｅのように日除けの内側に取り付けてもよい。（ｃ２，ｄ２，ｅ２は対になって自動車の内壁に接着する面ファスナーを表す。）【００１４】  また図３に示すように日除けｇの外周につけた面ファスナーｈだけでなく，日除けｇのいくつかの部分からいくつかの足ｉ，ｊ，ｋをのばし，その足に面ファスナーｌ，ｍなどをつけてもよい。（ｈ２，ｌ２，ｍ２は対になって自動車の内壁に接着する面ファスナーを表す。）
【図面の簡単な説明】
【００１５】
【図１】  本発明の一実施形態にかかる自動車内用日除けを示す外観図。
【図２】  本発明にかかる自動車内用日除けの変形例を示す外観図。
【図３】  本発明にかかる自動車内用日除けの他の変形例を示す外観図。
【符号の説明】
【００１６】    ａ    日除け本体に装着する面ファスナー
ａ２  ａと対になり，車体の内部に貼り付ける面ファスナー
ｂ    日除け本体
ｃ    日除け本体に装着する面ファスナー
ｃ２  ｃと対になり，車体の内部に貼り付ける面ファスナー
ｄ    日除け本体に装着する面ファスナー
ｄ２  ｄと対になり，車体の内部に貼り付ける面ファスナー
ｅ    日除け本体に装着する面ファスナー
ｅ２  ｅと対になり，車体の内部に貼り付ける面ファスナー
ｆ    日除け本体
ｇ    日除け本体
ｈ    日除け本体に装着する面ファスナー
ｈ２  ｈと対になり，車体の内部に貼り付ける面ファスナー
ｉ    日除け本体から伸ばした足
ｊ    日除け本体から伸ばした足
ｋ    日除け本体から伸ばした足
ｌ    日除け本体から伸ばした足に装着した面ファスナー
ｌ２  ｌと対になり，車体の内部に貼り付ける面ファスナー
ｍ    日除け本体から伸ばした足に装着した面ファスナー
ｍ２  ｍと対になり，車体の内部に貼り付ける面ファスナー
【図１】
2008062910.tif 000003
【図２】
2008062910.tif 000004
【図３】
2008062910.tif 000005
【手続補正書】
【提出日】平成18年12月30日(2006.12.30)
【手続補正１】
【補正対象書類名】特許請求の範囲
【補正対象項目名】全文
【補正方法】変更
【補正の内容】
【特許請求の範囲】
自動車のウインドーガラスから入る陽射しを遮断したり和らげたりするために使用する自動車内用日除けにおいて，ウインドーガラス周りの内壁や窓枠の内壁等に装着するための面ファスナーを有することを特徴とする日除け。
(57)【要約】      （修正有）【課題】窓ガラスより入る日光から、肌の日焼けを守るための自動車用サンシェードを提供する。【解決手段】吸盤１と吸盤取り付け部５を有するはり２と、はり２に取り付け、任意に変形できるシート３からなり、窓ガラスに取付けたときに、窓ガラスとシートの面が平行にならずに、日焼けから身を守ることを特徴とする自動車用サンシェード。【選択図】図１
2008062908.tif 000002
【特許請求の範囲】
【請求項１】
吸盤と吸盤取り付け部を有するはりと、はりに取り付けられた、任意に変形できるシートからなり、窓ガラスに取り付けたときに、窓ガラスとシートの面が平行にならないことを特徴とする自動車用サンシェード。
【請求項２】
吸盤と吸盤取り付け部を有し、シートを収納取り出し自在に巻き取ることのできる巻き取り機構と前記シートの一端に設けられた吸盤取り付け部を有するはりより構成され、窓ガラスに取り付けたときに、窓ガラスとシートの面が平行にならないことを特徴とする自動車用サンシェード。
【発明の詳細な説明】
【技術分野】
【０００１】  本発明は窓ガラスより入る日光から、肌の日焼けを守るための自動車用サンシェードに関するものである。
【背景技術】
【０００２】  従来、窓ガラスから入る日光に対して、窓ガラスに吸盤を介して平行に取り付けるサンシェードはあった。
【発明の開示】
【発明が解決しようとする課題】
【０００３】  そのために次のような問題点があった。
（イ）    運転席や助手席に取り付けると視界を妨げ、運転に支障があって使用できなかった。
（ロ）    また後部席においても（イ）と同様に、後方の視界が妨げられ、運転に支障があり使用できなかった。
（ハ）    窓ガラスから入る有害且つ、強烈な日光に対しては無防備であった。
（ニ）    運転中に腕や足の片側だけが日焼けして見苦しいものがあった。
（ホ）    後部席では知らない間に首を日焼けして、美容上大敵であった
（ヘ）    女性は美容上、真夏でも長手袋やマフラーなどで自衛しなければならなかった。
本発明は、以上の問題点を解決するためになされたものである。
【課題を解決するための手段】
【０００４】  吸盤と吸盤取り付け部を有するはりと、はりに取り付けられた、任意に変形できるシートからなり、窓ガラスに取り付けたときに、窓ガラスとシートの面が平行にならないことを特徴とする自動車用サンシェードまたは、吸盤と吸盤取り付け部を有し、シートを収納取り出し自在に巻き取ることのできる巻き取り機構と前記シートの一端に設けられた吸盤取り付け部を有するはりより構成され、窓ガラスに取り付けたときに、窓ガラスとシートの面が平行にならないことを特徴とする自動車用サンシェードである。
【発明の効果】
【０００５】  運転者の視界を妨げることなく、また外の景色も邪魔されず見ることができ、ハンドルさばきになんらの支障をきたさず、有害な日光に対して対応でき、日焼け止めができる。
また、巻き取り機構を有しているためにシートの収納が容易でコンパクトにでき、さらに使用しないときの保管に変形することが少ない。
【発明を実施するための最良の形態】
【０００６】  以下、本発明の実施の形態を説明する。
（イ）    複数の吸盤（１）と、吸盤取り付け部（５）を一端に設けた複数のはり（２）に吸盤（１）を取り付ける。
（ロ）    はり（２）にはシート（３）を取り付ける。
（ハ）    はり（２）はＬ字型のプレートか、パイプ状で一方に吸盤（１）を取り付けられる、吸盤取り付け部（５）が設けられている。
（ニ）    シート（３）は方形状で任意に変形ができ、光を反射、吸収、または減衰させるものが望ましい。
本発明は以上のような構造でこれを使用するときは、吸盤（１）を窓ガラス（４）の任意の位置に、窓ガラス（４）から立ち上がるように取り付ける。さらに取り付ける形態はさまざまで、シート（３）の形を自由に変えられ、上方から入る有害な日光に対して、対処できるようになっている。
使用しないときは丸めて、小さな筒状の入れ物に入れて、ドアポケットなどに収納できる。【０００７】  本発明の第２の実施の形態について説明する。
（イ）    シート（３）を巻き取り、取り出し自在な巻き取り機構（６）の一端に吸盤巻取り部（５）を有し、吸盤（１）に取り付ける。
（ロ）    シート（３）の一端は巻き取り機構（６）に取り付けられ、シート（３）のもう一端ははり（２）に取り付けられる。
（ハ）    はり（２）はＬ字型のプレートか、パイプ状で一方に吸盤（１）を取り付けられる、吸盤取り付け部（５）が設けられている。
（ニ）    シート（３）は方形状で任意に変形ができ、光を反射、吸収、または減衰させるものが望ましい。
本発明は以上のような構造でこれを使用するときは、吸盤（１）を窓ガラス（４）の任意の位置に、窓ガラス（４）から立ち上がるように取り付ける。巻き取り機構（６）によって巻き取られたシート（３）の一端のはり（２）を引っ張り、任意の位置に吸盤（１）で取り付けることによって、上方から入る有害な日光に対して、対処できるようになっている。使用しないときは巻き取り機構（６）によって巻き上げ、コンパクトにドアポケット等に収納できる。
【図面の簡単な説明】
【０００８】
【図１】本発明の分解斜視図
【図２】本発明の斜視図
【図３】本発明の使用状態を示す斜視図
【図４】本発明の使用状態を示す斜視図
【図５】本発明の使用状態を示す側面図
【図６】本発明の収納状態を示す斜視図
【図７】本発明の第２の実施の使用状態を示す斜視図
【図８】本発明の第２の実施の収納状態を示す斜視図
【図９】本発明の後部窓ガラスでの使用状態を示す側面図
【符号の説明】
【０００９】１  吸盤
２  はり
３  シート
４  窓ガラス
５  吸盤取り付け部
６  巻き取り機構
【図１】
2008062908.tif 000003
【図２】
2008062908.tif 000004
【図３】
2008062908.tif 000005
【図４】
2008062908.tif 000006
【図５】
2008062908.tif 000007
【図６】
2008062908.tif 000008
【図７】
2008062908.tif 000009
【図８】
2008062908.tif 000010
【図９】
2008062908.tif 000011
(57)【要約】【課題】  ボールペンの使用時に、指先に取り付けて指で文字を書ける指先にはめて使うボールペンを提供する。【解決手段】  プラスチックの容器の中にボールペンの芯を設け、プラスチックのフタを設け、このフタに指にはめるゴムを設け、指先に取り付け、指先で文字を書く事を特徴とする指先にはめて使うボールペン。【選択図】図１
2008126656.tif 000002
【特許請求の範囲】
【請求項１】
プラスチックの容器の中にボールペンの芯を設け、プラスチックのフタを設け、このフタに指にはめるゴムを設け、指先に取り付け、指先で文字を書く事を特徴とする指先にはめて使うボールペン。
【発明の詳細な説明】
【技術分野】
【０００１】  本発明は、ボールペン使用時に、指先で使用することができる指先にはめて使うボールペンに関するものである。
【背景技術】
【０００２】  従来のボールペンの場合、持ち運びや整理整頓の際、重量や大きさにより手間取っていた。
【発明の開示】
【発明が解決しようとする課題】
【０００３】  そのために、次のような問題点があった。
（イ）ボールペンを複数個持ち運ぶ場合、重量により疲れる。
（ロ）整理整頓の際、大きさにより置き場所をとっていた。
本発明は以上の問題点を解決しようとするものである。
【課題を解決するための手段】
【０００４】  プラスチックの容器の中にボールペンの芯を設け、プラスチックのフタを設け、このフタに指にはめるゴムを設け、指先に取り付けることによって、重量や大きさを減らし、指先で文字を書くことができる。以上を特徴とする指先にはめて使うボールペンである。
【発明の効果】
【０００５】  本発明は指先にはめて、指で文字を書く事ができる。したがって持ち運びの際の重量を軽減し、整理整頓の際に生じるわずらわしさがない。
【発明を実施するための最良の形態】
【０００６】  以下、本発明の実施の形態を説明する。
（イ）プラスチックの容器（１）の中に、ボールペンの芯（３）を設ける。
（ロ）プラスチックの容器（１）の上に、プラスチックのフタ（４）を設け、取り付ける。
（ハ）プラスチックのフタ（４）の上に、ゴム材からなる、指にはめるゴム（５）を設ける。
本発明は、以上の構成よりなっている。
本発明を使用するときは、上記の指にはめるゴム（５）を人指し指にはめ、指で文字を書くように使用する。
【図面の簡単な説明】
【０００７】
【図１】  本発明の斜視図
【図２】  本発明の分解斜視図
【図３】  本発明の使用状態を示す斜視図
【符号の説明】
【０００８】  １  プラスチックの容器
２  ペンの先端
３  ボールペンの芯
４  プラスチックのフタ
５  指にはめるゴム
【図１】
2008126656.tif 000003
【図２】
2008126656.tif 000004
【図３】
2008126656.tif 000005
(57)【要約】【課題】弱視者等視覚障害者にとって従来の白一色の絵画用パレットの形状は、濃色の絵の具は良いが複数の白色を含む淡色の絵の具を白一色の仕切りグランド上で見分けて使い分ける事は大変困難な作業であった。【解決手段】絵画用パレットに白グランド仕切りに加え適当な大きさ形状の黒グランド仕切りの部分を適宜複数設ける。黒グランド仕切りの部分には白の縁取りを設け白グランド仕切りには黒縁取りを設け夫々の仕切りを判別しやすくする。絵画用パレット全体に複数設けられたこれらの白グランド仕切りと黒グランド仕切りで濃色の絵の具は白グランド仕切りで、白色や淡色の絵の具は黒グランド仕切りでと絵の具の濃淡に合わせて仕切りを使い分ける事によって弱視者等視覚障害者の作画が容易に進められる。【選択図】図１
2008126655.tif 000002
【特許請求の範囲】
【請求項１】
弱視者用に配慮された白グランド仕切り、黒グランド仕切りを適宜配置されたことを特徴とする絵画用パレット。
【請求項２】
更にそれらの白グランド仕切りは黒の縁取り、黒グランド仕切りには白の縁取りを付ける事でそれら仕切りの使い分けを弱視者が容易に出来る事を特徴とする絵画用パレット。
【発明の詳細な説明】
【技術分野】
【０００１】  この発明は、弱視者等の視覚障害者が用いる絵画用パレットの形状に関する。
【背景技術】
【０００２】  従来、弱視者等の視覚障害者が用いるパレットの形状は、健常者用の全て白グランドである。
【発明の開示】
【発明が解決しようとする課題】
【０００３】しかしながら、従来の技術によれば、弱視者等の視覚障害者にとっては白一色のパレット上では白色は勿論のこと、ピンク、淡い黄色、淡い水色等淡色の絵の具の識別は非常に困難を伴うものであった。但し、淡色は此れらの色に限定されるものではない。
そこで、この発明は、弱視者等の視覚障害者が濃色の絵の具は白グランドの仕切り内で、白色を含む淡色の絵の具は黒グランドの仕切り内を適宜使い分ける事で絵を描く作業が容易に出来る絵画用パレットを提供することを課題とする。
【課題を解決するための手段】
【０００４】  以上の課題を解決するために、第一発明は、パレット内に白グランドの仕切りと適当な形状で適当な大きさの黒グランドの仕切りを適宜に設けたことを特徴とする絵画用パレットである。
また、第二発明は、それらの白グランドの仕切りは黒の縁取りをし、黒グランドの仕切りは白の縁取りをする事で弱視者等視覚障害者が夫々の仕切り領域を識別し易い様にしたことを特徴とする絵画用パレットである。
【発明の効果】
【０００５】  第一発明、または第二発明によれば、弱視者等障害者が白グランド仕切り内では濃色の絵の具を、黒グランドの仕切り内では白色を含む淡色の絵の具を使い分ける事によって作画、色付け等の絵画制作を容易に進める事が出来る。
【発明を実施するための最良の形態】
【０００６】  この発明の一実施形態を、図１に示す。【０００７】「実施形態の効果」
この実施形態によれば、黒の縁取りの白グランド仕切り内では濃色の絵の具を、白縁取りの黒グランド仕切り内では白色を含む淡色の絵の具を使う事によって色々な濃さの絵の具を使った作画が容易に可能となる。【０００８】「他の実施形態」
図１の実施形態では、パレットは四角形であったが、他の実施形態では、矩形、楕円形、円、これらの組み合わさった複合形等色々の形に適応出来る。又絵画用パレットの素材は金属、木、セラミック、紙等絵画用パレットに適したものには全て適応出来る。又、図１の実施形態では色は白と黒であったが色の組み合わせは此れに限定されず、黒グランド、黒縁取りの部分は濃紺等弱視者等視覚障害者に見えやすい色であっても良い。
【産業上の利用可能性】
【０００９】従来の健常者用絵画用パレットの製造過程に白縁取り黒グランドの仕切りと黒縁取り白グランドの仕切りの工程を追加する事で従来無かった弱視者等視覚障害者用の絵画用パレットを作る事は可能で産業上の利用の可能性がある。
【図面の簡単な説明】
【００１０】
【図１】この発明の一実施形態を示す斜視図である。
【符号の説明】
【００１０】１  白縁取り黒グランド仕切り          ２  黒縁取り白グランド仕切り
３  白及び黒の縁取り
【図１】
2008126655.tif 000003
(57)【要約】【課題】  個人差はあると思うが、トイレの中での臭いはよいものではない。特に他の人が大便をした後に入ると、たまらなく臭う。  たいてい便所内の天井の部分に換気扇が付いているが、室内に臭いがこもってしまい、臭気は簡単には抜けない。これを解決するためには、便器内の臭気を直接外に出してしまう工夫をすればよい。【解決手段】  便器内の臭気を直接外に出してしまえば、室内に臭気が出ないので、便所内の臭いは殆んどなくなってしまう。よって、図１の様に便座裏の周辺に吸気口を設け、便座内へ空気を吸い込んで、便座の背部に排気口を付けて、ここから外への排気管を接続してその先へ換気扇を付ければ、臭気は排出されてしまう。  排気口はトイレ室内の広さなどの都合で便座の背面の横方向に付けても良い。【選択図】図１
2008126046.tif 000002
【特許請求の範囲】
【請求項１】
便座において、便座裏に吸気口を設け、便座の背面または側面にその排気口を付け、この排気口から、直接外へ吸気口から吸い込んだ臭気を、排出する装置。
【発明の詳細な説明】
【技術分野】
【０００１】  この発明は、便座裏面に吸気口を設けることにより、便器内の臭いを直接外へ排出することが出来るようにした装置である。
【背景技術】
【０００２】  従来は、便所内の天井に排気口がありそこから換気扇で臭いを排出していた。
【発明の開示】
【発明が解決しようとする課題】
【０００３】  これには臭いに敏感な者には問題があった。
前に利用した人の臭いが、室内から無くなるまでには、相当時間がかかる。
もちろん、自分も臭う。
本発明は、以上のような問題点を解決するためになされたものである。
【課題を解決するための手段】
【０００４】  洋式便器の便座裏周辺に吸気口を作り、その吸気口から吸い込んだ臭気を、背面に設けた排気口に導き、この排気口から臭気を直接外に排気する。
【発明の効果】
【０００５】  便座の中へ空気を吸い込むので、室内へ臭いが出ることが殆んど無くなり自分の臭いはもちろん、他の人が利用した後でも、殆んど臭わない。
【発明を実施するための最良の形態】
【０００６】  以下、本発明の実施例について説明する。
図１は便座を裏返しにした図で、▲１▼は便座裏面の吸気口である。
便座裏側周辺に吸気口▲１▼を並べて付ける。
吸気口から吸い込んだ臭気は排気口▲２▼に導き、この先へ排気管を付け外部へ換気扇で排出する。
▲３▼は便器との接点で便座を便器より少し浮き上げるための突起である。
【図面の簡単な説明】
【０００７】
【図１】  本発明の便座を裏面からの斜視図
【符号の説明】
【０００８】      ▲１▼    吸気口
▲２▼    排気口
▲３▼    便器との接点
▲４▼    ウオッシュレットの操作パネル
▲５▼    ウオッシュレットの本体
【図１】
2008126046.tif 000003
(57)【要約】【課題】  １人で肩をもむときに力を入れないと効果がなかった。又、肩をもんでも短時間で疲れてしまい、かえって逆効果であった。  本発明はテコの原理を応用した軽い力で肩をもむことが出来る肩もみ器である。【解決手段】  本発明を図面で説明すれば  図１は本発明の肩もみ器であり、▲１▼棒、▲２▼円盤、▲３▼ひも、▲４▼バックルで構成している。  ▲２▼円盤は▲１▼棒に動かないように固定している。  ▲２▼円盤と▲１▼棒の位置関係はテコの原理が働くように▲２▼円盤に近い位置に▲３▼ひもを付け、遠い位置の先端を自分の手で上下又は左右に動かすようになっているのできわめて軽い力でツボを心地よく刺激することができる。【選択図】図１
2008126047.tif 000002
【特許請求の範囲】
【請求項１】
テコの原理を応用した軽い力で肩をもむことが出来る肩もみ器
【請求項２】
請求項１に於いて、円盤と棒とひもで構成した肩もみ器
【発明の詳細な説明】
【発明の詳細な説明】
【技術分野】
【０００１】  この発明は肩もみ器に関するものである。
【背景技術】
【０００２】  従来から肩もみ器はあったが、１人で肩をもむときに力を入れないと効果がなかった。
このため、肩をもんでも短時間で疲れてしまい、かえって逆効果であった。
本発明はテコの原理を応用して軽い力で肩をもむことが出来る肩もみ器である。
【発明が解決しようとする課題】
【０００３】  本発明は［０００２］で示した欠点をなくす目的でなされたもので、テコの原理を応用したきわめて軽い力で肩をもむことが出来るようにした肩もみ器である。
【課題を解決するための手段】
【０００４】  本発明の実施例を図面で説明すれば
図１は本発明の肩もみ器であり、▲１▼棒、▲２▼円盤、▲３▼ひも、▲４▼バックルで構成している。
▲２▼円盤は▲１▼棒に動かないように固定している。
▲２▼円盤と▲１▼棒の位置関係はテコの原理が働くように▲２▼円盤に近い位置に▲３▼ひもを付け、遠い位置の先端を自分の手で上下又は左右に動かすようになっており、きわめて軽い力でツボを心地よく刺激することができるものである。
▲３▼ひもには▲４▼バックルを付け、▲３▼ひもの長さを調整可能にしてある。
▲３▼ひもの先端は▲４▼バックルがあるので輪になっており、親指と人差し指の間に輪をひっかけて▲３▼ひもがピンと張るようにして使用する。
▲３▼ひもを▲１▼棒に沿って左右に動かすことによりツボを刺激する力の大きさを自分でちょうど良い大きさにすることができる。
【発明の実施形態】
【０００５】  図１は本発明の実施例である。
材料は木のように温もりのあるものがよい。
▲２▼円盤と▲１▼棒の位置関係はテコの原理が働くような長さの比にしてある。
【発明の効果】
【０００６】  本発明はテコの原理を応用して軽い力で肩をもむことが出来るだけでなく、腰、背中、足のツボ刺激及びマッサージにも使うことが出来る。
このようにテコの原理を応用して軽い力で肩をもむことが出来るようにした肩もみ器であるので力のない人でも１人で出来るのに加え疲れないので肩もみの後でも心地よさが続く。
【図面の簡単な説明】
【図１】  本発明の実施例
【符号の説明】
▲１▼  棒
▲２▼  円盤
▲３▼  ひも
▲４▼  バックル
【図１】
2008126047.tif 000003
(57)【要約】【課題】  シート品を含む製品を補強、または補修するために、利用しやすいあて布品を提示する。  ［０００７］【解決手段】  あて布品であって、孔があり、その孔を補強する手段が施されている。片面に『一時的、または恒久的な接着手段』が施されていて、その接着手段は、使用前には剥離ライナーで保護してある。【選択図】図１
2008126045.tif 000002
【特許請求の範囲】
【請求項１】
シート品を含む製品を補強、または補修するためのあて布品であって、孔があり、その孔を補強する手段が施されているもの。
【請求項２】
請求項１において、片面に『一時的、または恒久的な接着手段』が施されていて、この接着手段は、使用前には剥離ライナーで保護してあるもの。
【請求項３】
請求項１において、孔を補強する手段は、糸で孔の縁を縫うこと、または輪状の縁部品を孔に嵌め込むこと、もしくは孔の縁を熱、または化学薬品で変質させることで行われているもの。
【請求項４】
請求項１であって、傘のカバーを露先にかがりつけするためのもので、カバーのふくらみに沿わせるための整形がなされているもの。
【請求項５】
請求項１であって、傘のカバーを露先にかがりつけするためのもので、装飾手段としての形状、色、模様、質感、キャラクラーのいずれか一つ、または複数の組み合わせを備えるもの。
【請求項６】
請求項１であって、傘のカバーが露先からはずれた時に補修するためのもので、切って、カバーのふくらみに沿わせるための整形をし易くする案内用の線、または図形が印付けされているもの。
【請求項７】
請求項２であって、傘のカバーが露先からはずれた時に補修するためのもので、切って、カバーのふくらみに沿わせるための整形をし易くする案内用の線、または図形が剥離ライナーに印付けされているもの。
【発明の詳細な説明】
【技術分野】
【０００１】  シート品を含む製品を補強、または補修するためのあて布品であって、特に対象の形状が単純でないのものに関する。
【背景技術】
【０００２】  『防水施工用シート状物および防水施工法』として、孔があけてあり、粘着処理が施されている防水施工用シートが提示されている。特開２００４−２２５４３４（Ｐ２００４−２２５４３４Ａ）【０００３】  『通風性シート補修用テープ』として、通風性を付与する材料構成と接着強度を確保する粘着材について、提示されている。特開平５−９１８２３【０００４】  『傘の露先』として、傘布をかがりつけ易い位置に糸孔を設けた傘の露先が提示されている。特開２００２−１６５６２３（Ｐ２００２−１６５６２３Ａ）
【特許文献１】  特開２００４−２２５４３４（Ｐ２００４−２２５４３４Ａ）
【特許文献２】  特開平５−９１８２３
【特許文献３】  特開２００２−１６５６２３（Ｐ２００２−１６５６２３Ａ）
【発明の開示】
【発明が解決しようとする課題】
【０００５】  シート品を含む製品を補強、または補修するために、利用しやすいあて布品を提示する。
【課題を解決するための手段】
【０００６】  あて布品であって、孔があり、その孔を補強する手段が施されている。【０００７】    片面に『一時的、または恒久的な接着手段』が施されていて、この接着手段は、使用前には剥離ライナーで保護してある。
【発明の効果】
【０００８】  孔を利用することで、接合、または結合の相互の構造によっては、より容易にかつ強く補強できる。補強する製品とあて布が同系色であれば、目立たないようにできる。形状を工夫する、または、異なる色、模様、質感、キャラクター品であれば、ファッション性が期待できる。
【発明を実施するための最良の形態】
【０００９】  傘のカバーを露先にかがりつけるためのあて布品であって、カバーのふくらみに沿わせるための整形がなされているもの。【００１０】  または、装飾手段としての形状、色、模様、質感、キャラクラーのいずれか一つ、または複数の組み合わせを備えるもの。【００１１】  もしくは、傘のカバーが露先からはずれた時に補修するためのあて布品であって、一時的な接着手段が施されていて、その接着手段で固定した後、縫い付けして恒久的に接着するもので、さらに切ってカバーのふくらみに沿わせるための整形をし易くする案内用の線、または図形が剥離ライナーに印付けされているもの。【００１２】  これらの孔を補強する手段は、糸で孔の縁を縫うこと、または輪状の縁部品を孔に嵌め込むこと、もしくは孔の縁を熱、または化学薬品で変質させることで行われている。
【図面の簡単な説明】
【００１３】
【図１】  案内用の線が印付けされたあて布品の例。
【図２】  案内用の線が印付けされたあて布品の使用例。
【符号の説明】
【００１４】  １０あて布、１１孔、１２孔の補強手段、１３整形をし易くする案内用の線、１４あて布、１５接着手段、１６剥離ライナー。
２０傘のカバー（露先からはずれた状態の表面）、２１親骨、２２露先、２３傘のカバー（露先に取り付けた状態の裏面）、２４親骨、２５露先、２６あて布品。
【図１】
2008126045.tif 000003
【図２】
2008126045.tif 000004